【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
モバイルブロードバンドデバイスの電力コードのすっきりした状態を維持する、前記モバイルブロードバンドデバイスのための使用および充電システムであって、前記使用および充電システムは、
内側平行面を有するシステム収納部であって、開閉可能である収納部と、
棚の下面に前記収納部を装着する手段と、
上棚前部を有する上棚であって、前記上棚前部は縁部を含む、上棚と、
下棚前部を有する下棚であって、前記下棚前部は縁部を含む、下棚と、
システム電力ケーブル巻き戻し部と、
前記収納部が開いた状態または閉じた状態の間に、前記下棚および前記上棚の厚みを減らす手段と、
電源分配ブロックと、
少なくとも一つのケーブル巻き戻しアセンブリと、
マルチポート電源分配ブロックから前記モバイルブロードバンドデバイスに電力を供給する手段と、
を備え、
前記ケーブル巻き戻し部は前記下棚に装着され、
前記電力コードの一端は前記電源分配ブロックに接続され、他端は前記モバイルブロードバンドデバイスに接続され、
前記ケーブル巻き戻し部は、さらに前記収納部が開いた状態または閉じた状態の間に前記マルチポート電源分配ブロックより前記モバイルブロードバンドデバイスまで電力を供給する前記手段において張力を保持し、
前記モバイルブロードバンドデバイスは、前記収納部が開いている間に、ユーザが視覚的にアクセス可能である
モバイルブロードバンドデバイス使用および充電システム。
【請求項２】
前記電源分配ブロックより前記モバイルブロードバンドデバイスに電力を供給する前記手段は、前記ケーブル巻き戻し部に装着された電力コードであって、前記電力コードの一端は前記電源分配ブロックに接続され、他端は前記モバイルブロードバンドデバイスに接続されている
請求項１に記載の使用および充電システム。
【請求項３】
前記ケーブル巻き戻しアセンブリは、上側スプールフランジ部と、下側スプールフランジ部と、スタックと、ネジとを備え、
前記上側スプールフランジ部および前記下側スプールフランジ部は前記ネジを介してまとめて固定され、
前記ケーブル巻き戻しアセンブリは、前記モバイルブロードバンドデバイスに電力を供給するために、巻かれていないケーブルの長さが最も短くなるようにケーブルを適切な長さに巻く手段を提供する
請求項２に記載の使用および充電システム。
【請求項４】
前記電源分配ブロックは、マルチポートユニバーサル・シリアル・バス・ハブである
請求項３に記載の使用および充電システム。
【請求項５】
前記スタックは、
上部グロメットと、充電ケーブル用ハーフスプールと、中央スプールフランジ部と、ラチェットホイールをさらに含む巻き戻しばね収納部と、ウェーブディスクスプリングと、ストリングと、ストリングスプールと、および下部グロメットと、
を有し、
前記巻き戻しばね収納部は、
ばね鋼巻き戻し部および巻き戻しばね、ストリング引き手、プランジャ、爪、爪マウント、スター・ホイール、トーションマウント、ユニバーサル・サービス・バスレセプタクル、およびユニバーサル・シリアル・バスケーブルをさらに含み、
前記ストリングは前記ストリングスプールの周りに巻き付けられ、
前記巻き戻しばね収納部は前記ばね鋼巻き戻し部を収納し、
前記巻き戻し線は前記ストリングスプールの周りに巻き付けられ、
前記ストリング引き手は前記ストリングのユーザ側の端部に取り付けられ、
前記プランジャは、前記ウェーブディスクスプリングを加圧し、前記ストリングスプールを前記巻き戻しばね収納部と係合させ、前記ストリングスプールと前記巻き戻しばね収納部の同時に回転させることができ、
前記爪は前記爪マウントに装着され、トーションばねは前記スター・ホイールに対してラチェットするために前記爪における張力を保持して、前記爪をロックさせることができ、
ロックされた前記爪は、前記巻き戻しばね収納部の前記ラチェットホイールの複数の歯を係合させ、
モバイルブロードバンドデバイス充電コードはユニバーサル・シリアル・バスレセプタクル内に差し込まれ、
前記ユニバーサル・シリアル・バスケーブルは、一端で前記ユニバーサル・シリアル・バスレセプタクルの裏側に接続され、他端で環境電源に接続されており、
前記ユニバーサル・シリアル・バスケーブルは前記上部グロメットを通って延出し、
前記下部グロメットは前記スタックの底部の回転を収容する
請求項３に記載の使用および充電システム。
【請求項６】
前記下棚および前記上棚の厚みを減らす前記手段は、
一対のスリーブベアリングガイドレールと、一対のスリーブベアリングキャリッジと、一対のキャリッジスペーサと、第１端部、第２端部、中央部をそれぞれ有する４つの支持アームと、旋回アームと、２つの支持体ブラケットと、少なくとも一つの巻き戻しピンと、締付けノブと、スプリングとを有し、
各スリーブベアリングガイドレールは前記システム収納部の前記内側平行面に装着されており、
各スリーブベアリングキャリッジは前記各スリーブベアリングガイドレールに装着されており、
各旋回アームの前記第１端部はスリーブベアリングガイドレールに接続され、
各旋回アームの前記第２端部は前記上棚に接続され、各旋回アームの前記中央部は前記下棚に接続され、
前記旋回アームは２対になるように配置され、各対の旋回アームは前記支持アームの旋回ブラケットに接続されており、
前記上棚前部の縁部は、前記モバイルブロードバンドデバイスが前記上棚前部に対して載ることを可能にして、
前記少なくとも一つの巻き戻しピンは前記下棚に装着されており、
前記締付けノブおよび前記スプリングは、前記下棚に装着されており、
前記ケーブル巻き戻し部は、さらに前記スリーブベアリングキャリッジが前記スリーブベアリングガイドレールに沿ってスライドしている間、前記電力コードにおける張力を保持する
請求項５に記載の使用および充電システム。
【請求項７】
前記収納部を装着する前記手段は、装着孔と、ボルト止めと、テーピングと、接着剤と、ベルクロ（登録商標）と、ブラケットと、前記ユーザが装着、装着解除、そして再装着できる接着剤とからなる群からより選択される
請求項６に記載の使用および電力システム。
【請求項８】
前記収納部は、
射出成形プラスチック、木、アクリロニトリルブタジエンスチレン、アルミニウム、合板、金属、ポリマー、または環境に優しい材料で構成される
請求項７に記載の使用および電力システム。
【請求項９】
前記上棚は、
射出成形プラスチック、木、アクリロニトリルブタジエンスチレン、アルミニウム、合板、金属、ポリマー、または環境に優しい材料
で構成され、
前記下棚は、
射出成形プラスチック、木、アクリロニトリルブタジエンスチレン、アルミニウム、合板、金属、ポリマー、または環境に優しい材料
で構成される
請求項７に記載の使用および電力システム。
【請求項１０】
前記システム収納部は、
約１．２５インチ（３．１７５センチメートル）の高さ、約１０．３７５インチ（２６．３５２５センチメートル）の長さ、また約９．５インチ（２４．１３センチメートル）の幅を有する
請求項６に記載の使用および電力システム。
【請求項１１】
前記下棚は約０．０４０インチ（０．１０１６センチメートル）の厚さ、約８インチ（２０．３２センチメートル）の長さ、および約８インチ（２０．３２センチメートル）の幅を有し、
前記上棚は約０．０４０インチ（０．１０１６センチメートル）の厚さ、約８インチ（２０．３２センチメートル）の長さ、および約８インチ（２０．３２センチメートル）の幅を有する
請求項１０に記載の使用および電力システム。
【請求項１２】
前記装着する手段は、再利用可能な接着剤である
請求項６に記載の使用および電力システム。
【請求項１３】
前記電源分配ブロックから前記モバイルブロードバンドデバイスに電力を供給する前記手段は、
無線充電器ケーブルおよび無線充電器であって、
前記無線充電器ケーブルは、前記ケーブル巻き戻し部に装着されており、
前記無線充電器ケーブルは、一端が前記電源分配ブロックに接続され、他端が前記無線充電器に接続されており、
前記モバイルブロードバンドデバイスは、前記無線充電器の上面に載っている
請求項１に記載の使用および充電システム。
【請求項１４】
前記電源分配ブロックから前記モバイルブロードバンドデバイスへ電力を供給する前記手段は、
充電バーと、取り外し可能／旋回端部と、ＵＳＢ  ｔｏ  ＵＳＢケーブルと
を有し、
前記ＵＳＢ  ｔｏ  ＵＳＢケーブルは、一端が前記電源分配ブロックに接続され、他端が前記充電バーに接続されており、前記充電バーは前記上棚に装着され、前記取り外し可能／旋回端部は前記充電バーに挿入され、前記モバイルブロードバンドデバイスは前記取り外し可能／旋回端部に接続される
請求項１に記載の使用および充電システム。
【請求項１５】
モバイルブロードバンドデバイスで使用するためのケーブル巻き戻しアセンブリであって、前記ケーブル巻き戻しアセンブリは、
上側スプールフランジ部と、下側スプールフランジ部と、スタックと、ネジと
を備え、
前記上側スプールフランジ部および前記下側スプールフランジ部は前記ネジを介して共に固定され、
前記ケーブル巻き戻しアセンブリは、前記モバイルブロードバンドデバイスに電力を供給するために、巻かれていないケーブルの長さが最も短くなるようにケーブルを適切な長さに巻く手段を提供する
ケーブル巻き戻しアセンブリ。
【請求項１６】
上側スプールフランジ部と、下側スプールフランジ部と、ネジとをさらに備えるケーブル巻き戻しアセンブリであって、
前記上側スプールフランジ部および前記下側スプールフランジ部は、前記ネジを介して共に固定され、前記ケーブル巻き戻しアセンブリはスタックをさらに備え、
前記スタックは、
上部グロメットと、充電ケーブル用ハーフスプールと、中央スプールフランジ部と、ラチェットホイールをさらに含む巻き戻しばね収納部と、ウェーブディスクスプリングと、ストリングと、ストリングスプールと、および下部グロメットと、
を有し、
前記巻き戻しばね収納部は、
ばね鋼巻き戻し部および巻き戻しばね、ストリング引き手、プランジャ、爪、爪マウント、スター・ホイール、トーションマウント、ユニバーサル・サービス・バスレセプタクル、およびユニバーサル・シリアル・バスケーブルをさらに含み、
前記ストリングは前記ストリングスプールの周りに巻き付けられ、
前記巻き戻しばね収納部は前記ばね鋼巻き戻し部を収納し、
前記巻き戻し線は前記ストリングスプールの周りに巻き付けられ、
前記ストリング引き手は前記ストリングのユーザ側の端部に取り付けられ、
前記プランジャは、前記ウェーブディスクスプリングを加圧し、前記ストリングスプールを前記巻き戻しばね収納部と係合させ、前記ストリングスプールと前記巻き戻しばね収納部の同時に回転させることができ、
前記爪は前記爪マウントに装着され、トーションばねは前記スター・ホイールに対してラチェットするために前記爪における張力を保持して、前記爪をロックさせることができ、
ロックされた前記爪は、前記巻き戻しばね収納部の前記ラチェットホイールの複数の歯を係合させ、
モバイルブロードバンドデバイス充電コードはユニバーサル・シリアル・バスレセプタクル内に差し込まれ、
前記ユニバーサル・シリアル・バスケーブルは、一端で前記ユニバーサル・シリアル・バスレセプタクルの裏側に接続され、他端で環境電源に接続されており、
前記ユニバーサル・シリアル・バスケーブルは前記上部グロメットを通って延出し、
前記下部グロメットは前記スタックの底部の回転を収容する
請求項１５に記載のケーブル巻き戻しアセンブリ。
【請求項１７】
前記上側スプールフランジ部は約３インチ（７．６２センチメートル）の直径で、前記下側スプールフランジ部は約３インチ（７．６２センチメートル）の直径で、また前記ケーブル巻き戻しアセンブリの高さは約０．７３インチ（１．８５４２センチメートル）の厚さである
請求項１６に記載のケーブル巻き戻しアセンブリ。
【請求項１８】
前記ユニバーサル・シリアル・バスケーブルは前記上側スプールフランジ部の側面を通って延出する
請求項１６に記載のケーブル巻き戻しアセンブリ。
【請求項１９】
上側スプールフランジ部と、下側スプールフランジ部と、スタックと、ネジとを備えるコード巻き戻しアセンブリであって、
前記上側スプールフランジ部および前記下側スプールフランジ部が前記ネジを介して共に固定されており、
前記コード巻き戻しアセンブリは、ユーザが選択した長さにコードを巻く手段を提供する
コード巻き戻しアセンブリ。
【請求項２０】
上側スプールフランジ部と、下側スプールフランジ部と、ネジとをさらに備え、
前記上側スプールフランジ部および前記下側スプールフランジ部は前記ネジを介して互いに固定されており、
前記コード巻き戻しアセンブリはスタックをさらに備え、
前記スタックは、
上部グロメットと、充電ケーブル用ハーフスプールと、中央スプールフランジ部と、ラチェットホイールをさらに含む巻き戻しばね収納部と、ウェーブディスクスプリングと、ストリングと、ストリングスプールと、および下部グロメットと、
を有し、
前記巻き戻しばね収納部は、
ばね鋼巻き戻し部および巻き戻しばね、ストリング引き手、プランジャ、爪、爪マウント、スター・ホイール、トーションマウント、ユニバーサル・サービス・バスレセプタクル、およびユニバーサル・シリアル・バスケーブルをさらに含み、
前記ストリングは前記ストリングスプールの周りに巻き付けられ、
前記巻き戻しばね収納部は前記ばね鋼巻き戻し部を収納し、
前記巻き戻し線は前記ストリングスプールの周りに巻き付けられ、
前記ストリング引き手は前記ストリングのユーザ側の端部に取り付けられ、
前記プランジャは、前記ウェーブディスクスプリングを加圧し、前記ストリングスプールを前記巻き戻しばね収納部と係合させ、前記ストリングスプールと前記巻き戻しばね収納部の同時に回転させることができ、
前記爪は前記爪マウントに装着され、トーションばねは前記スター・ホイールに対してラチェットするために前記爪における張力を保持して、前記爪をロックさせることができ、
ロックされた前記爪は、前記巻き戻しばね収納部の前記ラチェットホイールの複数の歯を係合させ、
モバイルブロードバンドデバイス充電コードはユニバーサル・シリアル・バスレセプタクル内に差し込まれ、
前記ユニバーサル・シリアル・バスケーブルは、一端で前記ユニバーサル・シリアル・バスレセプタクルの裏側に接続され、他端で環境電源に接続されており、
前記ユニバーサル・シリアル・バスケーブルは前記上部グロメットを通って延出し、
前記下部グロメットは前記スタックの底部の回転を収容する
請求項１９に記載のコード巻き戻しアセンブリ。